(57)【要約】【課題】筆記芯を筆記芯タンク内へ簡単に充填することができ、且つ、筆記芯の筆記芯タンクからの落下を防止できると共に安全性も向上させたシャープペンシルを提供する。【解決手段】シャープペンシルは、外筒１と、外筒１内に収容されると共に筆記芯Ｌを収容可能な筆記芯タンク４と、筆記芯タンク４の前端部に接続されると共に筆記芯タンク４内の筆記芯Ｌを前方へ送り出す送り出し機構５と、外筒１の後端部内に装着されると共に筆記芯タンク４の後端部に接続されたノック部材６と、ノック部材６の内部に装着されると共に、筆記芯Ｌを受け入れて筆記芯タンク４へ導く筆記芯通路７０を有する案内部材７と、を備える。案内部材７には、筆記芯通路７０における筆記芯Ｌの通過を阻止する弾性片７６が設けられている。案内部材７がノック部材６内を前進動することにより、弾性片７６が筆記芯通路７０における筆記芯Ｌの通過阻止を解除する。【選択図】図４
2014069316.tif 000002
【特許請求の範囲】
【請求項１】
外筒と、
前記外筒内に収容されて、内部に筆記芯を収容可能な筆記芯タンクと、
前記外筒内に収容されると共に前記筆記芯タンクの前端部に接続されて、前記筆記芯タンク内の前記筆記芯を前方へ送り出す送り出し機構と、
前記外筒の後端部内にスライド自在に装着されると共に前記筆記芯タンクの後端部に接続されて、前記送り出し機構を作動させるためのノック部材と、
前記ノック部材の内部にスライド自在に装着され、前記筆記芯を受け入れて前記筆記芯タンクへ導く筆記芯通路を有する案内部材とを備え、
前記案内部材には、前記筆記芯通路における前記筆記芯の通過を阻止する通過阻止手段が設けられ、
前記案内部材が前記ノック部材内を前進動することにより、前記通過阻止手段が前記筆記芯通路における前記筆記芯の通過阻止を解除するように形成されたことを特徴とするシャープペンシル。
【請求項２】
前記案内部材における前端側の部位には、前記通過阻止手段として機能する弾性片が設けられ、
前記案内部材の常態において、前記弾性片が前記筆記芯通路を前記筆記芯の直径よりも狭めて前記筆記芯の通過を阻止し、前記案内部材が前記ノック部材内を前進動することにより、前記弾性片が前記筆記芯通路を前記筆記芯の直径よりも広げて前記筆記芯の通過阻止を解除するように形成されたことを特徴とする請求項１記載のシャープペンシル。
【請求項３】
前記ノック部材の前端部には、前記筆記芯通路と前記筆記芯タンクとを連絡する連絡通路が設けられ、
前記弾性片は、前記ノック部材内における前記連絡通路の直後に位置し、前記連絡通路と前記筆記芯通路との間の前記筆記芯の移動を阻止するように形成されたことを特徴とする請求項２記載のシャープペンシル。
【請求項４】
前記ノック部材における前記連絡通路の近傍の部位には、前記案内部材の前進動に伴い前記筆記芯通路を広げるように前記弾性片を変形させる拡張促進手段が設けられたことを特徴とする請求項３記載のシャープペンシル。
【請求項５】
前記ノック部材の前端部には、前記弾性片の前端部を収容可能な狭窄維持手段が設けられ、
前記狭窄維持手段に前記弾性片の前端部を収容することにより、前記弾性片の前端部における前記筆記芯通路が前記筆記芯の直径よりも狭まるように形成されたことを特徴とする請求項２記載のシャープペンシル。
【請求項６】
前記案内部材が前記ノック部材内を前進動するにつれて、前記弾性片が前記狭窄維持手段から前方へ突出しつつ前記筆記芯通路を広げるように弾性変形するように形成されたことを特徴とする請求項５記載のシャープペンシル。
【請求項７】
前記案内部材の前進動により前記ノック部材が前記外筒内を前進動することにより、前記送り出し機構が作動するように形成されたことを特徴とする請求項１〜６のいずれか一項に記載のシャープペンシル。
【発明の詳細な説明】
【技術分野】
【０００１】
本発明は、筆記芯タンク内へ筆記芯を充填可能なシャープペンシルに関する。
【背景技術】
【０００２】
従来、シャープペンシルとしては、外筒と、該外筒内に収容された筆記芯送り出し機構と、外筒内に収容されて、筆記芯送り出し機構の後部に連結された筆記芯タンクと、外筒内に収容されて、後端部が外筒の後端から後方へ突出した状態で、筆記芯タンクの開口後端部に取外し自在に装着されたノック部材を有するシャープペンシルが知られている（特許文献１参照）。
【０００３】
この従来のシャープペンシルの筆記芯タンクの開口後端部に取外し自在に装着されたノック部材は、筆記芯送り出し機構を作動させるための部品であって、シャープペンシルの先端をユーザーが上方へ向けても、筆記芯タンク内に一旦充填された筆記芯が筆記芯タンクから落下してしまうことを防止するべく後端が閉塞されている。このノック部材は、筆記芯を筆記芯タンクの開口後端部から筆記芯タンク内に充填する際に、筆記芯タンクから取り外されるものであるため、筆記芯タンクから取り外されたそのノック部材を児童等が誤って飲み込んで喉に詰まらせ窒息してしまうというおそれがある。そのため、特許文献１に開示のノック部材は、それを児童等が誤って飲み込んで喉に詰まらせたとしても、通気を確保して窒息を防止することのできる通気孔を有している。
【０００４】
また、ノック部材に開閉可能な蓋を設けたシャープペンシルも提案されている（特許文献２参照）。
【先行技術文献】
【特許文献】
【０００５】
【特許文献１】特開平９−７１０９０
【特許文献２】特開平８−１５６３８２
【発明の概要】
【発明が解決しようとする課題】
【０００６】
ところで、特許文献１に開示のシャープペンシルは、ノック部材自体を児童等が誤って飲み込んでしまうことを防止するものではない。したがって、このノック部材は、児童等が誤って飲み込んで喉に詰まらせたとしても窒息することを防止する通気孔を安全性という観点から備えているものであっても、それは、完全な安全性を確保することができるものではない。また、このシャープペンシルのノック部材は、筆記芯を筆記芯タンク内に充填する必要性が生ずる度に筆記芯タンクから取外し、筆記芯の充填後に再び筆記芯タンクに装着しなければならないため、面倒な筆記芯充填作業を余儀なくさせるものであるという不都合があった。さらに、このシャープペンシルでは、筆記芯タンクから取り外されたノック部材が紛失されてしまうことがあり、その場合には、ユーザーがシャープペンシルの先端を上方へ向けた時に、筆記芯が筆記芯タンクから落下することがあった。
【０００７】
特許文献２に開示のシャープペンシルは、ノック部材を児童等が誤って飲み込んでしまうという特許文献１に開示のシャープペンシルの問題を解消することができるものではあるが、筆記芯を筆記芯タンク内に充填する必要性が生ずる度にノック部材の蓋を開き、筆記芯の充填後に再びノック部材の蓋を閉めなければならないため、特許文献１に開示のシャープペンシルと同様に面倒な筆記芯充填作業を余儀なくさせるものであるという不都合があった。また、このシャープペンシルでは、ノック部材の蓋が確実に閉じられていない場合に、ユーザーがシャープペンシルの先端を上方へ向けた時に、ノック部材の蓋が開いて筆記芯が筆記芯タンクから落下することがあった。
【０００８】
そこで、本発明は、筆記芯タンクに対するノック部材の脱着やノック部材の蓋の開閉という作業が不要であり、筆記芯を筆記芯タンク内へ簡単に充填することが可能であると共に、ノック部材を児童等が誤って飲み込む事態を防止することにより、安全性を向上することが可能であり、且つ、ユーザーがシャープペンシルの先端を上方へ向けた場合に筆記芯が筆記芯タンクから落下することを防止できるシャープペンシルを提供することを課題とする。
【課題を解決するための手段】
【０００９】
本願の第１の発明によれば、
外筒と、
前記外筒内に収容されて、内部に筆記芯を収容可能な筆記芯タンクと、
前記外筒内に収容されると共に前記筆記芯タンクの前端部に接続されて、前記筆記芯タンク内の前記筆記芯を前方へ送り出す送り出し機構と、
前記外筒の後端部内にスライド自在に装着されると共に前記筆記芯タンクの後端部に接続されて、前記送り出し機構を作動させるためのノック部材と、
前記ノック部材の内部にスライド自在に装着され、前記筆記芯を受け入れて前記筆記芯タンクへ導く筆記芯通路を有する案内部材とを備え、
前記案内部材には、前記筆記芯通路における前記筆記芯の通過を阻止する通過阻止手段が設けられ、
前記案内部材が前記ノック部材内を前進動することにより、前記通過阻止手段が前記筆記芯通路における前記筆記芯の通過阻止を解除するように形成されたことを特徴とするシャープペンシルが得られる。
【００１０】
本願の第２の発明によれば、前記第１の発明に係るシャープペンシルの構成に加えて、
前記案内部材における前端側の部位には、前記通過阻止手段として機能する弾性片が設けられ、
前記案内部材の常態において、前記弾性片が前記筆記芯通路を前記筆記芯の直径よりも狭めて前記筆記芯の通過を阻止し、前記案内部材が前記ノック部材内を前進動することにより、前記弾性片が前記筆記芯通路を前記筆記芯の直径よりも広げて前記筆記芯の通過阻止を解除するように形成されている。
【００１１】
本願の第３の発明によれば、前記第２の発明に係るシャープペンシルの構成に加えて、
前記ノック部材の前端部には、前記筆記芯通路と前記筆記芯タンクとを連絡する連絡通路が設けられ、
前記弾性片は、前記ノック部材内における前記連絡通路の直後に位置し、前記連絡通路と前記筆記芯通路との間の前記筆記芯の移動を阻止するように形成されている。
【００１２】
本願の第４の発明によれば、前記第３の発明に係るシャープペンシルの構成に加えて、
前記ノック部材における前記連絡通路の近傍の部位には、前記案内部材の前進動に伴い前記筆記芯通路を広げるように前記弾性片を変形させる拡張促進手段が設けられている。
【００１３】
本願の第５の発明によれば、前記第２の発明に係るシャープペンシルの構成に加えて、
前記ノック部材の前端部には、前記弾性片の前端部を収容可能な狭窄維持手段が設けられ、
前記狭窄維持手段に前記弾性片の前端部を収容することにより、前記弾性片の前端部における前記筆記芯通路が前記筆記芯の直径よりも狭まるように形成されている。
【００１４】
本願の第６の発明によれば、前記第５の発明に係るシャープペンシルの構成に加えて、
前記案内部材が前記ノック部材内を前進動するにつれて、前記弾性片が前記狭窄維持手段から前方へ突出しつつ前記筆記芯通路を広げるように弾性変形するように形成されている。
【００１５】
本願の第７の発明によれば、前記第１ないし第６のいずれかの発明に係るシャープペンシルの構成に加えて、
前記案内部材の前進動により前記ノック部材が前記外筒内を前進動することにより、前記送り出し機構が作動するように形成されている。
【発明の効果】
【００１６】
本発明は、上記のように構成されているので、以下のような効果を奏する。
すなわち、本発明によれば、ユーザーがシャープペンシルの先端を上方へ向けた場合に、筆記芯タンク内の筆記芯が案内部材の筆記芯通路へ逆戻りすることを通過阻止手段によって阻止されるので、筆記芯が筆記芯タンクから落下することを防止できる。
【００１７】
また、本発明によれば、案内部材がノック部材内を前進動して通過阻止手段が筆記芯の通過阻止を解除すると、筆記芯が案内部材の筆記芯通路を通過して筆記芯タンクへ移動できるようになっている。これにより、従来のような筆記芯タンクに対するノック部材の脱着やノック部材の蓋の開閉という作業が不要となり、筆記芯を筆記芯タンク内へ簡単に充填することができる。さらに、ノック部材を児童等が誤って飲み込む事態を防止でき、安全性を向上させることができる。
【００１８】
第７の発明は、上記のような効果に加え、以下のような効果を奏する。
すなわち、第７の発明によれば、通過阻止手段による筆記芯の通過阻止を解除させるための操作と、送り出し機構を作動させるための操作とを一度の動作で実施することができるので、ユーザーの手間を省くことができる。
【図面の簡単な説明】
【００１９】
【図１】本発明の第一の実施形態に係るシャープペンシルの全体を示した図である。
【図２】図１に示したシャープペンシルの軸線方向断面図である。
【図３】本発明の第一の実施形態に係るシャープペンシルの、送り出し機構を含んだ前部側を示した拡大断面図である。
【図４】本発明の第一の実施形態に係るシャープペンシルの、常態の案内部材を含んだ後部側を示した拡大断面図である。
【図５】本発明の第一の実施形態に係るシャープペンシルのノック部材を示した図で、（ａ）は、同ノック部材の拡大平面図であり、（ｂ）は、（ａ）中のＡ−Ａ線に沿った同ノック部材の拡大断面図である。
【図６】本発明の第一の実施形態に係るシャープペンシルの案内部材を示した図で、（ａ）は、同案内部材の拡大平面図であり、（ｂ）は、同案内部材の軸線方向断面図である。
【図７】本発明の第一の実施形態に係るシャープペンシルの、作動状態の案内部材を含んだ後部側を示した拡大断面図である。
【図８】本発明の第一の実施形態に係るシャープペンシルの、常態の案内部材を含んだ後部側を示した拡大断面図であって、筆記芯タンク内の筆記芯が弾性片により逆戻りを阻止された様子を説明する図である。
【図９】第一の実施形態の変形例であって、常態の案内部材を含んだ後部側を示した拡大断面図である。
【図１０】第一の実施形態の変形例であって、作動状態の案内部材を含んだ後部側を示した拡大断面図である。
【図１１】本発明の第二の実施形態に係るシャープペンシルの全体を示した軸線方向断面図である。
【図１２】本発明の第二の実施形態に係るシャープペンシルの、常態の案内部材を含んだ後部側を示した拡大断面図である。
【図１３】本発明の第二の実施形態に係るシャープペンシルの、作動状態の案内部材を含んだ後部側を示した拡大断面図である。
【図１４】本発明の第二の実施形態に係るシャープペンシルの、常態の案内部材を含んだ後部側を示した拡大断面図であって、筆記芯タンク内の筆記芯が弾性片により逆戻りを阻止された様子を説明する図である。
【発明を実施するための形態】
【００２０】
以下、本発明について、本発明を何ら限定するものではない実施形態を図示した添付図面を参照して詳細に説明する。なお、本発明においては、シャープペンシルの軸線方向に対し、送り出し機構により筆記芯が送り出される側を「前端」とし、その反対側を「後端」とする。
【００２１】
（第一の実施形態）
ここで、図１〜図８を参照して、本発明の第一の実施形態に係るシャープペンシルの構成について説明する。
【００２２】
図１に示したように、本発明の第一の実施形態に係るシャープペンシルの外筒１は、押出し成形技術を用いて作られた横断面略三角形の長尺な軸筒２と、軸筒２の先端部に接続される中空状の先具３との二部品にて構成されている。なお、この外筒１は、軸筒２と先具３とを含んだ一体成形品として形成することができる。また、軸筒２の横断面形状は、三角形に限らず、円形、楕円形、四角形、その他の様々な形状に形成することができる。
【００２３】
図２及び図３に図示されているように、軸筒２の内部には、複数の筆記芯Ｌを収容可能な筆記芯タンク４と、筆記芯タンク４の前端部に接続されて筆記芯タンク４内の筆記芯Ｌを前方へ送り出す送り出し機構５と、が設けられている。また、筆記芯タンク４の後端部には、送り出し機構５を作動させるための円筒状のノック部材６が接続されている。さらに、ノック部材６内には、筆記芯Ｌを受け入れて筆記芯タンク４へ導く筆記芯通路７０が形成された案内部材７が挿入されている。
【００２４】
先具３は、外形が略円錐台状の先細部３０と、先細部３０から後方へ伸びた管状のステム部３２とを有している。先具３の先細部３０内には、送り出し機構５から送り出された筆記芯Ｌを保持する筒状のスライダー３４が先細部３０の先端開口から出没自在に収容されている。
【００２５】
先細部３０の先端寄りの部位の内周面には周方向に伸びた段部３０ａが形成されている。また、先細部３０の後端寄りの部位の内周面にも段部３０ｂが形成されている。スライダー３４は、送り出し機構５から送り出された筆記芯Ｌがスライダー３４内に挿入されて前方へ繰り出されるにつれて、筆記芯Ｌと共に前方へスライド移動して先細部３０の開口先端から外部へ突出する。スライダー３４の前方へのスライド移動は、スライダー３４の後端部が先具３の先細部３０の段部３０ａに当接することにより停止される。
【００２６】
送り出し機構５は、スリーブ５０とチャック５２とチャックリング５４とチャックスプリング５６とを有している。
【００２７】
スリーブ５０は、二重管構造に形成されている。先具３は、ステム部３２の後端部をスリーブ５０の二重管の間に圧入することにより、スリーブ５０に接続されている。
【００２８】
チャック５２は、長尺な管状本体５２ａと該管状本体５２ａから前方に伸びた複数の挟持片５２ｂとを有している。各挟持片５２ｂの先端部は、径方向外方へ膨出するように形成されている。チャック５２は、挟持片５２ｂの先端部がスリーブ５０から前方へ突出した状態でスリーブ５０の内側管内にスライド自在に挿入されている。
【００２９】
挟持片５２ｂの先端部の外側には、チャックリング５４が嵌め合わされて、挟持片５２ｂの先端部を径方向内方へ窄めている。また、挟持片５２ｂにおけるチャックリング５４よりも後方の位置には、コイルスプリングにて成るチャックスプリング５６が設けられており、このチャックスプリング５６によりチャック５２及び筆記芯タンク４が後方へ常時付勢されている。
【００３０】
チャック５２の管状本体５２ａの後端部には、筆記芯タンク４が連結されている。筆記芯タンク４は、軸筒２の内径よりも小さな外径を有し且つ複数本の筆記芯Ｌを収容することの可能な内部空間を有した長尺な筒状のタンク本体４０と、タンク本体４０の先端より前方へ伸びて、外径がタンク本体４０よりも小径な筒状に形成された連結部４２を有している。筆記芯タンク４の連結部４２をチャック５２の管状本体５２ａの後端部上に嵌め合わせることにより、筆記芯タンク４はチャック５２に連結されている。
【００３１】
タンク本体４０の先端部には、前後方向に貫通したガイド孔４４が形成されている。このガイド孔４４の直径は、筆記芯Ｌの直径よりも僅かに大きく形成されている。タンク本体４０内に収容された複数の筆記芯Ｌは、１本ずつガイド孔４４に入り込んで、チャック５２の管状本体５２ａに供給される。タンク本体４０の後端部には、送り出し機構５を作動させるためのノック部材６が装着されている。
【００３２】
ノック部材６をユーザーが外筒１の先端方向へ押動させると、互いに連結されたチャック５２と筆記芯タンク４とがチャックスプリング５６を圧縮させつつ前方へ移動する。この時、挟持片５２ｂの先端部に嵌合されているチャックリング５４が先細部３０の段部３０ｂに当接して移動を停止されることにより、挟持片５２ｂの先端部がチャックリング５４から前方へ突出する。これにより、挟持片５２ｂの先端部がチャックリング５４による拘束から解放されて拡開するようになり、チャック５２に供給された筆記芯Ｌがスライダー３４に向けて送り出されることが許容される。そして、ユーザーがノック部材６に対するノック操作を繰り返し行うことにより、筆記芯Ｌがスライダー３４内に挿入し、スライダー３４を前方へスライド移動させて、先具３の開口先端より突出させつつスライダー３４の先端から突出するようになる。この状態で、ユーザーは筆記を行うことができる。
【００３３】
筆記芯タンク４のタンク本体４０内に充填された筆記芯Ｌを外部から視認することができるようにするべく、筆記芯タンク４の少なくともタンク本体４０は、好ましくは、透明なプラスチック材料から形成されている。また、筆記芯タンク４のタンク本体４０の先端寄りの部位の内周面には、周方向に伸びた環状突起４６が設けられている。この環状突起４６は、筆記芯タンク４のタンク本体４０が帯びる静電気によって筆記芯Ｌがタンク本体４０の周壁面に付着してしまうことを防止するためのものである。
【００３４】
ここで、図４を参照すると、タンク本体４０の後端部の周壁には、その周壁の周回り方向にほぼ等間隔に離間した複数の止め孔４８が設けられている（本実施形態においては、二つの止め孔４８が設けられている）。上述したように、筆記芯タンク４のタンク本体４０の後端部には、円筒状のノック部材６が装着されている。図４及び図５に示すように、このノック部材６は、外筒１の軸筒２の後端部内に挿入される外筒被挿入部６０と、筆記芯タンク４のタンク本体４０の後端部内に挿入される筆記芯タンク被挿入部６２とを有している。外筒被挿入部６０は、軸筒２の内径よりも若干小さく且つ筆記芯タンク４のタンク本体４０の外径よりも若干大きい外径を備えている。また、外筒被挿入部６０の前端部の内周は、前端から後方にかけて段状またはテーパー状に拡径した拡径部６１が形成されている（図５（ｂ）参照）。筆記芯タンク被挿入部６２は、外筒被挿入部６０の先端から前方へ伸び、且つ筆記芯タンク４のタンク本体４０の内径よりも若干小さな外径を備えている。
【００３５】
ノック部材６の筆記芯タンク被挿入部６２には、それの周壁の周回り方向にほぼ等間隔に離間した複数の長尺な透孔６３が形成されている。この透孔６３は、筆記芯タンク４のタンク本体４０に設けられた止め孔４８と同数設けられている（本実施形態においては、二つの透孔６３が設けられている）。また、ノック部材６の筆記芯タンク被挿入部６２には、各透孔６３の前側縁から後方へ伸びた弾性係止片６４が設けられ、その弾性係止片６４の自由端部には径方向外方へ突出した外方突起６４ａが設けられている。図４及び図５（ｂ）に示すように、筆記芯タンク被挿入部６２の先端壁における径方向略中央の位置には、前後方向に貫通した貫通孔６６が形成されており、貫通孔６６の後端周縁から後方に向けて管状に突出した内側突出部６５が形成されている。この貫通孔６６と内側突出部６５の内周面とにより、後述する案内部材７の筆記芯通路７０と筆記芯タンク４とを連絡する連絡通路６７が区画されている。この連絡通路６７は、筆記芯Ｌの直径よりも僅かに大きく形成されている。また、内側突出部６５の外周には、後端から前方にかけてテーパー状に拡径した当接面６５ａが形成されている。なお、内側突出部６５は、後述するように、ノック部材６内における案内部材７の前進動に伴い筆記芯通路７０を広げるように案内部材７の弾性片７６を変形させる拡張促進手段として機能する。
【００３６】
上述したように構成されたノック部材６は、筆記芯タンク被挿入部６２が筆記芯タンク４のタンク本体４０の後端開口部からタンク本体４０内に挿入され、外筒被挿入部６０の前端面が筆記芯タンク４のタンク本体４０の後端面に当接すると共に外筒被挿入部６０の後端部が軸筒２の後端から後方へ突出した状態で、筆記芯タンク４に装着されている（図４参照）。ノック部材６が筆記芯タンク４に装着された状態においては、ノック部材６の弾性係止片６４の外方突起６４ａが筆記芯タンク４の止め孔４８に挿入されて、外方突起６４ａの後端面が止め孔４８の後端縁に係止されることにより、ノック部材６は筆記芯タンク４から離脱するのを阻止されている。
【００３７】
ノック部材６内には、上述したように円筒状の案内部材７が挿入されている。図４及び図６に示すように、案内部材７には、前後方向に貫通した筆記芯通路７０が内部に区画されている。案内部材７は、後側部位を成す後側案内部７２と、前側部位を成す前側案内部７４とに大別することができる。後側案内部７２の後端には、筆記芯Ｌを筆記芯通路７０に受け入れるための受け口７２ａが設けられている。この受け口７２ａは、筆記芯Ｌを筆記芯通路７０内に投入し易くするために、内周面が前端から後端に亘って拡径したテーパー面を呈している。後側案内部７２の内径、つまり後側案内部７２における筆記芯通路７０の直径は、筆記芯Ｌの直径よりも大きく形成されている。また、後側案内部７２の外径は、ノック部材６の外筒被挿入部６０の内径よりも僅かに小さく形成されている。前側案内部７４は、後側案内部７２の前端から前方に連続して伸びている。また、前側案内部７４の外径は、後側案内部７２の外径よりも小さく形成されている。
【００３８】
案内部材７は、その前端側の位置に複数の弾性片７６を有している。弾性片７６は、筆記芯通路７０における筆記芯Ｌの通過を阻止する通過阻止手段として機能する。本実施の形態に係る案内部材７は、図６に示すように、前側案内部７４に軸線方向に沿って二つのスリット７４ａが付形されると共に、案内部材７の中心軸線に対して対称で径方向において対向する一対の弾性片７６を有している。この弾性片７６は、長尺で横断面略円弧状に形成されている。また、図６（ｂ）に示すように、各弾性片７６の先端部の内周には、径方向内方へ隆起した隆起部７６ａが周方向に形成されている。さらに、各弾性片７６の隆起部７６ａの先端面は、その先端から後方にかけてテーパー状に縮径した摺動面７６ｂを構成している。さらに、各弾性片７６には、それの後端寄りの部位の外周面から径方向外方へ突出した係止突起７６ｃが設けられている。前側案内部７４の内径、つまり前側案内部７４における筆記芯通路７０の直径は、隆起部７６ａの後端よりも後方の部分が筆記芯Ｌの直径よりも若干大きく形成されている。
【００３９】
案内部材７は、それの前側案内部７４をノック部材６の外筒被挿入部６０の開口後端から外筒被挿入部６０内に挿入することにより、ノック部材６に対してスライド自在に装着されている。ノック部材６に装着された案内部材７は、弾性片７６の摺動面７６ｂがノック部材６の内側突出部６５の当接面６５ａ近傍に位置し、係止突起７６ｃが筆記芯タンク被挿入部６２の透孔６３に挿入されている。
【００４０】
また、ノック部材６に装着された案内部材７は、後側案内部７２の後端部がノック部材６の開口後端から後方へ突出している。また、案内部材７の係止突起７６ｃの後端面がノック部材６の外筒被挿入部６０の先端面に係止されることにより、案内部材７はノック部材６から離脱することを阻止されている。このように案内部材７の係止突起７６ｃの後端面がノック部材６の外筒被挿入部６０の先端面に係止された状態が、ノック部材６に装着された案内部材７の常態となっている。また、案内部材７の常態においては、一対の弾性片７６は、それの対向する隆起部７６ａ間の間隔が筆記芯Ｌの直径よりも小さくなるように形成されている。
【００４１】
先具３、スライダー３４、筆記芯タンク４、送り出し機構５、ノック部材６及び案内部材７を上述したように一体に組み合わせることにより、これら部品はユニットを構成している。このユニットの案内部材７が配置された側を軸筒２の前端開口部から軸筒２内に挿入し、先具３のステム部３２を軸筒２の前端部に圧入又は螺合させることにより、第一の実施形態に係るシャープペンシルは完成品として組立てられる。
【００４２】
次に、筆記芯タンク４内への筆記芯Ｌの充填について説明する。図４に示した案内部材７の常態においては、上述したように、二つの弾性片７６の先端部の摺動面７６ｂがノック部材６の内側突出部６５の当接面６５ａ近傍に位置し、対向する隆起部７６ａ間の間隔が筆記芯Ｌの直径よりも小さくなっている。この案内部材７の常態において、ユーザーがシャープペンシルの外筒１の先端を下方に向けて、案内部材７の受け口７２ａから筆記芯通路７０内に筆記芯Ｌを投入すると、筆記芯Ｌが筆記芯通路７０を落下する。この筆記芯Ｌの先端部は、後側案内部７２内を通過して前側案内部７４内に進入するものの、二つの弾性片７６の隆起部７６ａに当接する。つまり、筆記芯Ｌは、隆起部７６ａにより落下を阻止されて二つの弾性片７６の間に留まる。したがって、筆記芯Ｌは、これ以上筆記芯通路７０を落下することを弾性片７６によって阻止されるため、筆記芯タンク４に移動することができない。
【００４３】
この状態でユーザーが案内部材７の後側案内部７２の後端部を前方へ押圧すると、図７に示したように、案内部材７がノック部材６内を前方へスライド移動する。案内部材７がノック部材６内を常態位置から前方へ所定量スライド移動すると、各弾性片７６の摺動面７６ｂがノック部材６の内側突出部６５の当接面６５ａに当接して該当接面６５ａ上を前方へスライド移動する。そして、二つの弾性片７６は、互いに隆起部７６ａが離れる方向、つまり径方向外方へ向かうように撓る。このように案内部材７がノック部材６内を常態位置から所定量前進した状態（以下「作動状態」という。）になると、二つの弾性片７６の隆起部７６ａ間の間隔が筆記芯Ｌの直径よりも大きくなる。このように案内部材７が作動状態となると、弾性片７６の隆起部７６ａにより筆記芯通路７０内に留められていた筆記芯Ｌは、筆記芯Ｌの直径よりも大きく拡げられた二つの弾性片７６の隆起部７６ｂの間を通過して、ノック部材６の連絡通路６７を介して筆記芯タンク４へ落下することとなる。
【００４４】
こうして筆記芯Ｌが筆記芯タンク４へ充填された後に、ユーザーが案内部材７に対する押圧を解除すると、案内部材７が作動状態から常態へ戻る。詳述すると、ユーザーが案内部材７に対する押圧を解除すると、二つの弾性片７６が弾性変形して常態に復帰動する。すなわち、拡開されていた二つの弾性片７６は、隆起部７６ａが互いに接近する方向、つまり径方向内方へ向かうように弾性変形して、常態に復帰動する。二つの弾性片７６が弾性変形するにつれて、弾性片７６の先端部の摺動面７６ｂがノック部材６の内側突出部６５の当接面６５ａ上を後方へ摺動しつつノック部材６の内側突出部６５の当接面６５ａから後方へ離れるように案内部材７がノック部材６内を後方へスライド移動する（図８参照）。このように案内部材７がノック部材６内を後方へスライド移動し、案内部材７の係止突起７６ｃの後端面がノック部材６の外筒被挿入部６０の先端面に係止されて、案内部材７は常態へ復帰することとなる。案内部材７の常態においては、弾性片７６の対向する隆起部７６ａ間の間隔は、上述のように筆記芯Ｌの直径よりも小さくなっている。したがって、シャープペンシルの外筒１の先端が上方に向けられた場合に、図８に示したように筆記芯タンク４内の筆記芯Ｌがノック部材６の連絡通路６７に入り込んだとしても、筆記芯Ｌの後端が各弾性片７６の摺動面７６ｂに当接して、対向する隆起部７６ａの間に入り込めないため、筆記芯Ｌは案内部材７の筆記芯通路７０へ逆戻りすることができない。こうして、シャープペンシルの外筒１の先端が上方に向けられたとしても、筆記芯タンク４内に充填された筆記芯Ｌが落下するのを防止することができる。
【００４５】
なお、本発明に係るシャープペンシルは、様々な直径を有する筆記芯を取り扱うことができることは明らかであるが、特に、例えば、直径が０．９ｍｍ又は１．３ｍｍのような太い筆記芯Ｌを取り扱う場合には、その筆記芯を以下のように筆記芯タンク４内に充填させるようにしてもよい。すなわち、案内部材７の受け口７２ａから筆記芯通路７０内に投入された筆記芯Ｌの前端が、上述したように弾性片７６の隆起部７６ｂにより筆記芯タンク４方向への移動を阻止されることにより、筆記芯Ｌが筆記芯通路６０内に留まって、その後端部が案内部材７の受け口７２ａから後方へ突出している場合に（図４参照）、ユーザーがこの筆記芯Ｌの後端部を前方へ向けて押圧するようにしてもよい。ユーザーが筆記芯Ｌの後端部を前方へ向けて押圧すると、この筆記芯Ｌの前端部が二つの弾性片７６の隆起部７６ａの間に入り込みつつ隆起部７６ａを径方向外方へ拡開させるように二つの弾性片７６を撓わせて、二つの隆起部７６ａの間に挟持される。二つの隆起部７６ａの挟持力は、筆記芯に対するユーザーの押圧により筆記芯Ｌが二つの隆起部７６ａ間を摺動しつつ筆記芯タンク４へ向けて移動することを許容するものの、筆記芯Ｌが自重により筆記芯タンク４方向へ落下するのは許容しない程度に設定されている。したがって、ユーザーは、筆記芯を二つの弾性片７６の隆起部７６ａ間を摺動させつつ、案内部材７の受け口７２ａから外方へ突出した筆記芯Ｌの後端部を案内部材７の内部へ押し込むことができる。この状態で、ユーザーが案内部材７の後端部を押圧すれば、案内部材７が上述したように作動して、筆記芯は筆記芯タンクへ供給されるようになる。
【００４６】
次に、チャック５２、筆記芯タンク４、ノック部材６及び案内部材７の相互動作を、「（１）弾性片７６の弾性力がチャックスプリング５６の弾性力よりも大きい場合」と、「（２）弾性片７６の弾性力がチャックスプリング５６の弾性力よりも小さい場合」とに分けて、以下に詳述する。
【００４７】
（１）弾性片７６の弾性力がチャックスプリング５６の弾性力よりも大きい場合
案内部材７の後端部が前方へ押圧されると、先ず、筆記芯タンク４がチャックスプリング５６を圧縮させつつ、案内部材７、ノック部材６、筆記芯タンク４及びチャック５２が一体となって外筒１の内部を前進動する。この前進動によりチャック５２の挟持片５２ｂがチャックリング５４から前方へ突出して拡開する。さらに案内部材７の後端部が前方へ押圧されると、案内部材７がノック部材６の内部を前進動して、上述したように案内部材７の弾性片７６が径方向外方へ向けて撓うようになる。
【００４８】
（２）弾性片７６の弾性力がチャックスプリング５６の弾性力よりも小さい場合
案内部材７の後端部が前方へ押圧されると、先ず、案内部材７がノック部材６の内部を前進動して、上述したように案内部材７の弾性片７６が径方向外方へ向けて撓うようになる。さらに案内部材７の後端部が前方へ押圧されると、筆記芯タンク４がチャックスプリング５６を圧縮させつつ、案内部材７、ノック部材６、筆記芯タンク４及びチャック５２が一体となって前進動する。この前進動によりチャック５２の挟持片５２ｂがチャックリング５４から前方へ突出して拡開する。
【００４９】
このように案内部材７、ノック部材６、筆記芯タンク４及びチャック５２を相互動作させることにより、弾性片７６（通過阻止手段）による筆記芯Ｌの通過阻止を解除させるための操作と、送り出し機構５を作動させるための操作とを一度の動作で実施することができるので、ユーザーの手間を省くことができる。
【００５０】
なお、案内部材７に対する多数回に及ぶ押圧操作の結果、弾性片７６の弾性力が低下して案内部材７が常態に復帰できなくなるおそれがある場合には、案内部材７を後方へ押し戻すためのリターンスプリングをシャープペンシルに設けてもよい。このリターンスプリングについては、後述の第一の実施形態の変形例おいて詳述する。
【００５１】
以上のように、本実施の形態によれば、ユーザーがシャープペンシルの先端を上方へ向けた場合に、筆記芯タンク４内の筆記芯Ｌが案内部材７の筆記芯通路７０へ逆戻りすることを弾性片７６（通過阻止手段）によって阻止されるので、筆記芯Ｌが筆記芯タンク４から落下することを防止できる。
【００５２】
また、案内部材７がノック部材６内を前進動して弾性片７６（通過阻止手段）が筆記芯Ｌの通過阻止を解除すると、筆記芯Ｌが案内部材７の筆記芯通路７０を通過して筆記芯タンク４へ移動できるようになる。したがって、本実施の形態によれば、従来のように筆記芯タンクに対するノック部材の脱着やノック部材の蓋の開閉という作業が不要となり、筆記芯Ｌを筆記芯タンク４内へ簡単に充填することができる。さらに、ノック部材６を児童等が誤って飲み込む事態を防止でき、安全性を向上することができる。
【００５３】
なお、本実施形態に係るシャープペンシルおいては、それを効率よく組み立てるために、先具３，スライダー３４，筆記芯タンク４，送り出し機構５，ノック部材６及び案内部材７を一体に組み合わせてユニットを構成し、このユニットが軸筒２と組み合わされている。然しながら、上述した構成要素を組み合わせてユニットとして構成する場合に限らず、他の態様で本発明に係るシャープペンシルを組み立てるようにしてもよい。
【００５４】
（第一の実施形態の変形例）
図９及び図１０は、第一の実施形態の変形例を示した図である。この変形例においては、案内部材の前側案内部が、図１〜８に示した第一の実施形態のそれと相違し、その他の構成部分は、第一の実施形態と同様に構成されている。したがって、図９及び図１０に示した変形例の構成部分のうちで、第一の実施形態の構成部分と同じ構成部分については、図１〜８に示した参照符号と同じ参照符号を付し、それらについては繰り返し説明しない。
【００５５】
第一の実施形態の案内部材７の前側案内部７４と相違して、図９及び図１０に示した案内部材７ｖの前側案内部８０は、前方へ伸びた横断面略円弧状の一つの弾性片８１と、弾性片８１に対して径方向で対向して、弾性片８１よりも短く前方へ伸びた横断面略円弧状の伸長部８２を有している。
【００５６】
弾性片８１の先端部の内側には、径方向内方へ隆起した隆起部８１ａが形成されている。また、弾性片８１の隆起部８１ａの先端面は、先端から後方にかけてテーパー状に縮径した摺動面８１ｂを構成している。弾性片８１の内側曲面は、隆起部８１ａの後端から後方に向けて伸長部８２との間の間隔が漸次大きくなるように拡径されている。また、弾性片８１の後端寄りの部位の外周には、径方向外方へ突出した係止突起８１ｃが設けられている。
【００５７】
案内部材７ｖの伸長部８２は、筆記芯Ｌが筆記芯通路７０からノック部材６の連絡通路６７へと移動する途中で筆記芯Ｌをガイドするように機能する。伸長部８２の内側曲面は、内径がほぼ一定に形成されている。図９に示した案内部材７ｖの常態において、伸長部８２の前端と弾性片８１における該前端に対向する部位との間隙は、筆記芯Ｌの直径とほぼ等しく形成されている。伸長部８２の後端部の外周にも径方向外方へ突出した係止突起８２ａが設けられている。
【００５８】
ノック部材６に装着された案内部材７ｖは、弾性片８１の係止突起８１ｃ及び伸長部の係止突起８２ａがノック部材６の筆記芯タンク被挿入部６２の透孔６３に挿入されている。また、案内部材７ｖの前側案内部８０とノック部材６の外筒被挿入部６０との間の環状空間内には、コイルスプリングにて成るリターンスプリング７７が配置されている。換言すると、案内部材７ｖの前側案内部８０の外周にはリターンスプリング７７が嵌装されている。さらに、弾性片８１の係止突起８１ｃの後端面及び伸長部の係止突起８２ａの後端面がノック部材６の外筒被挿入部６０の先端面に係止されることにより、案内部材７ｖはノック部材６から抜け出すことを阻止されている。また、ノック部材６に装着された案内部材７ｖは、弾性片８１の摺動面８１ｂが内側突出部６５の当接面６５ａ近傍に位置し、弾性片８１の隆起部８１ａが内側突出部６５の内周面よりも径方向内方に位置している。
【００５９】
次に、変形例における筆記芯タンク４内への筆記芯Ｌの充填について説明する。図９に示した案内部材７ｖの常態においては、伸長部８２の前端と弾性片８１における該前端に対向する部位との間隙は、筆記芯Ｌの直径とほぼ等しく形成されている。また、弾性片８１の摺動面８１ｂがノック部材６の内側突出部６５の当接面６５ａ近傍に位置するとともに、弾性片８１の隆起部８１ａが内側突出部６５の内周面よりも径方向内方に位置している。この案内部材７ｖの常態において、ユーザーがシャープペンシルの外筒１の先端を下方に向けて、案内部材７ｖの受け口７２ａから筆記芯Ｌを筆記芯通路７０内に投入すると、筆記芯Ｌの先端部が筆記芯通路７０内を落下し、後側案内部７２内を通過して前側案内部８０内に進入する。しかし、伸長部８２の前端と弾性片８１における該前端に対向する部位との間の間隔が筆記芯Ｌの直径とほぼ等しく設定されているため、筆記芯Ｌは、弾性片８１と伸長部８２との間に挟まれて落下を阻止される。したがって、筆記芯Ｌは、これ以上筆記芯通路７０内を落下することができず、筆記芯タンク４へ移動することができない。
【００６０】
この状態でユーザーが案内部材７ｖの後側案内部７２の後端部を前方へ押圧すると、図１０に示したように、案内部材７はリターンスプリング７７を圧縮させつつノック部材６内を前方へスライド移動する。案内部材７ｖがノック部材６内を常態位置から前方へ所定量スライド移動すると、弾性片８１の摺動面８１ｂがノック部材６の内側突出部６５の当接面６５ａに当接して該当接面６５ａ上を前方へ摺動する。そして、弾性片８１は、隆起部８１ａが径方向外方へ向かうように撓う。このように案内部材７ｖがノック部材６内を常態位置から前方へ所定量スライド移動した作動状態になると、弾性片８１の隆起部８１ａが内側突出部６５の内周面よりも径方向外方へ退き、伸長部８２の前端と弾性片８１における該前端に対向する部位との間隙が筆記芯Ｌの直径よりも大きくなる。したがって、案内部材７ｖが作動状態となると、弾性片８１により筆記芯通路７０内に留まっていた筆記芯Ｌは、弾性片８１と伸長部８２との間を通過して、ノック部材６の連絡通路６７を介して筆記芯タンク４へ落下することとなる。
【００６１】
こうして筆記芯Ｌが筆記芯タンク４へ充填された後に、ユーザーが案内部材７ｖに対する押圧を解除すると、案内部材７ｖが作動状態から常態へ戻る。詳述すると、ユーザーが案内部材７ｖに対する押圧を解除すると、リターンスプリング７７の付勢力により案内部材７ｖがノック部材６内を後方へスライド移動して、弾性片８１の係止突起８１ｃの後端面及び伸長部の係止突起８２ａの後端面がノック部材６の外筒被挿入部６０の先端面に当接係止される。案内部材７ｖがノック部材６内を後方へスライド移動すると、弾性片８１の先端部の摺動面８１ｂがノック部材６の内側突出部６５の当接面６５ａ上を後方へ摺動しつつノック部材６の内側突出部６５の当接面６５ａから後方へ離れるように弾性片８１が後方へ移動する。これに伴って、弾性片８１の隆起部８１ａは内側突出部６５の内周面よりも径方向内方に位置するように弾性変形して、常態に復帰する。これにより、シャープペンシルの外筒１の先端が上方に向けられた場合に、筆記芯タンク４内の筆記芯Ｌがノック部材６の連絡通路６７に入り込んだとしても、筆記芯Ｌの後端が弾性片８１の摺動面８１ｂに当接するため、筆記芯Ｌは案内部材７ｖの筆記芯通路７０へ逆戻りすることができない。こうして、シャープペンシルの外筒１の先端が上方に向けられたとしても、筆記芯タンク４内に充填された筆記芯Ｌが落下するのを防止することができる。
【００６２】
次に、チャック５２、筆記芯タンク４、ノック部材６及び案内部材７ｖの相互動作を、「（１）リターンスプリング７７の弾性力がチャックスプリング５６の弾性力よりも大きい場合」と、「（２）リターンスプリング７７の弾性力がチャックスプリング５６の弾性力よりも小さい場合」とに分けて、以下に詳述する。
【００６３】
（１）リターンスプリング７７の弾性力がチャックスプリング５６の弾性力よりも大きい場合
案内部材７ｖの後端部が前方へ押圧されると、先ず、筆記芯タンク４がチャックスプリング５６を圧縮させつつ、案内部材７ｖ、ノック部材６、筆記芯タンク４及びチャック５２が一体となって外筒１の内部を前進動する。この前進動によりチャック５２の挟持片５２ｂがチャックリング５４から前方へ突出して拡開する。さらに案内部材７の後端部が前方へ押圧されると、案内部材７ｖがリターンスプリング７７を圧縮させつつノック部材６の内部を前進動して、上述したように案内部材７ｖの弾性片８１が径方向外方へ向けて撓うようになる。
【００６４】
（２）リターンスプリング７７の弾性力がチャックスプリング５６の弾性力よりも小さい場合
案内部材７ｖの後端部が前方へ押圧されると、先ず、案内部材７ｖがリターンスプリング７７を圧縮させつつノック部材６の内部を前進動して、上述したように案内部材７ｖの弾性片８１が径方向外方へ向けて撓うようになる。さらに案内部材７ｖの後端部が前方へ押圧されると、筆記芯タンク４がチャックスプリング５６を圧縮させつつ、案内部材７ｖ，ノック部材６，筆記芯タンク４及びチャック５２が一体となって前進動する。この前進動によりチャック５２の挟持片５２ｂがチャックリング５４から前方へ突出して拡開する。
【００６５】
このように案内部材７ｖ、ノック部材６、筆記芯タンク４及びチャック５２を相互動作させることにより、弾性片７６（通過阻止手段）による筆記芯Ｌの通過阻止を解除させるための操作と、送り出し機構５を作動させるための操作とを一度の動作で実施することができるので、ユーザーの手間を省くことができる。
【００６６】
なお、リターンスプリング７７は、案内部材７ｖに対するユーザーによる押圧が解除された時に、ノック部材６の内部へ押し込まれていた作動状態の案内部材７ｖを後方へ押し戻すことにより、径方向外方へ撓んでいた弾性片８１が弾性変形して常態に復帰するのを助長するものである。しかし、弾性片８１が、作動状態の案内部材７ｖを後方へ戻しつつ元の状態に復元することのできる程度の弾性力を備えている場合には、必ずしもリターンスプリング７７をシャープペンシルに設ける必要はない。但し、案内部材７ｖに対する多数回に及ぶ押圧操作の結果、弾性片８１の弾性力が低下して案内部材７ｖが常態に復帰できなくなるおそれがある場合には、リターンスプリング７７をシャープペンシルに設けることが望ましい。
【００６７】
（第二の実施形態）
図１１〜図１４は、本発明の第二の実施形態に係るシャープペンシルを示した図である。この実施形態は、第一の実施形態のノック部材とは相違したノック部材と、第一の実施形態の案内部材とは相違した案内部材を採用している点を除いては、第一の実施形態と同様に構成されている。したがって、図１１〜図１４に示した第二の実施形態の構成部分のうちで、第一の実施形態の構成部分と同じ構成部分については、図１〜８に示した参照符号と同じ参照符号を付し、それらについては繰り返し説明しない。
【００６８】
第一の実施形態では、ノック部材６の筆記芯タンク被挿入部６２の前端壁からノック部材６の後方へ突出した内側突出部６５が設けられている。これに対し、図１２に示すように、第二の実施形態では、内側突出部６５の代わりに、ノック部材６ｖの筆記芯タンク被挿入部６２の前端から前方に向けて突出した外側突出部６９が設けられている。この外側突出部６９は前方に開口した円筒状に形成されている。ノック部材６ｖ内には案内部材９が挿入されており、この案内部材９の後述する弾性片９６の先端部はノック部材６ｖの筆記芯タンク被挿入部６２の貫通孔６６に挿通されている。
【００６９】
第一の実施形態に係る案内部材７では、後側案内部７２と前側案内部７４とが一体に形成されている。これに対し、第二の実施形態に係る案内部材９では、後側案内部９２と前側案内部９４とが別体に形成されており、これら後側案内部９２と前側案内部９４とが組み合わされている。具体的には、前側案内部９４の後端部を後側案内部９２の前端部内に圧入又は螺合させることにより、これら後側案内部９２と前側案内部９４とが一体に組み合わされて案内部材９を構成している。案内部材９には、前後方向に貫通した筆記芯通路９０が内部に区画されている。後側案内部９２の後端には、筆記芯Ｌを筆記芯通路９０に受け入れるための受け口９２ａが設けられている。この受け口９２ａは、筆記芯Ｌを筆記芯通路９０内に投入し易くするために、内周面が後端から前方にかけて縮径したテーパー面を呈している。
【００７０】
案内部材９の前側案内部９４は、それの前部側の位置に複数の弾性片９６を有している。弾性片９６は、案内部材９の常態において筆記芯Ｌが筆記芯タンク４と筆記芯通路９０との間を移動することを阻止する通過阻止手段として機能する。本実施の形態に係る案内部材９は、前側案内部９４に軸線方向に沿って二つのスリット９４ａを付形することにより形成された、前側案内部材９４の中心軸線に対して対称で径方向において対向する一対の弾性片９６を有している。また、各弾性片９６の先端部の外周には、径方向外方へ膨出した膨出部９６ａが周方向に形成されている。ノック部材６ｖの外側突出部６９の内径は、該外側突出部６９が二つの弾性片９６の膨出部９６ａの双方を受け入れることの可能な大きさに設定されているが、ノック部材６ｖの貫通孔６６の内径は、二つの弾性片９６の膨出部９６ａの双方が貫通孔６６を通過することを許容しない、外側突出部６９の内径よりも小さな寸法に設定されている。図１２に示した案内部材６ｖの常態においては、一対の弾性片９６の膨出部９６ａは径方向で互いに窄められた状態でノック部材６ｖの外側突出部６９内に嵌め合わされている。他方、図１３に示した案内部材６ｖの作動状態においては、一対の弾性片９６の膨出部９６ａは径方向外方へ互いに離間するように弾性変形してノック部材６ｖの外側突出部６９から前方へ突出している。
【００７１】
したがって、外側突出部６９は、案内部材６ｖの常態において弾性片９６の前端部を収容して該前端部間の筆記芯通路９０部分を筆記芯Ｌの直径よりも狭める狭窄維持手段として機能する。具体的には、図１２に示した案内部材９の常態においては、上述したように一対の弾性片９６の膨出部９６ａはノック部材６ｖの外側突出部６９内に嵌合されていて、膨出部９６ａの対向面間の間隙、つまり膨出部９６ａ間の筆記芯通路９０部分が、筆記芯Ｌの直径よりも小さくなっている。他方、図１３に示すように一対の弾性片９６の膨出部９６ａがノック部材６ｖの外側突出部６９から前方へ突出させられた時には、膨出部９６ａの対向面間の間隙が筆記芯Ｌの直径よりも大きくなるように一対の弾性片９６が弾性変形する。
【００７２】
案内部材９の前側案内部９４とノック部材６ｖの外筒被挿入部６０との間の環状空間内には、コイルスプリングにて成るリターンスプリング７７が配置されている。換言すると、このリターンスプリング７７は、案内部材９の前側案内部９４の外周に嵌装されている。リターンスプリング７７は、案内部材９全体を後方へ常時付勢しており、案内部材９の常態においては、後側案内部９２の後端部はノック部材６の開口後端から後方へ突出している。また、案内部材６ｖの常態においては、一対の弾性片９６の膨出部９６ａがノック部材６ｖの貫通孔６６を通過することができずにノック部材６ｖの前端壁に係止されることから、案内部材９はノック部材６ｖから離脱することを阻止されている。
【００７３】
次に、第二の実施形態に係るシャープペンシルにおける筆記芯タンク４内への筆記芯Ｌの充填について説明する。図１２に示した案内部材９の常態においては、上述したように、一対の弾性片９６の膨出部９６ａはノック部材６ｖの外側突出部６９内に嵌っており、膨出部９６ａの対向面間の間隔、つまり膨出部９６ａ間の筆記芯通路９０部分が筆記芯Ｌの直径よりも狭められている。この案内部材９の常態において、ユーザーがシャープペンシルの外筒１の先端を下方に向けて、案内部材９の受け口９２ａから筆記芯通路９０内に筆記芯Ｌを投入すると、筆記芯Ｌが筆記芯通路９０を落下する。この筆記芯Ｌの先端部は、後側案内部９２内を通過して前側案内部９４内に進入するものの、二つの弾性片９６の膨出部９６ａ間の間隔が上述したように筆記芯Ｌの直径よりも狭められているため、膨出部９６ａの間を通過することができず、膨出部９６ａよりも後方の位置に留められる。つまり、筆記芯Ｌは、二つの弾性片９６の間に挟まれて落下を阻止される。したがって、筆記芯Ｌは、弾性片９６によって、これ以上筆記芯通路９０を落下することを阻止されるため、筆記芯タンク４へ移動することができない。
【００７４】
この状態でユーザーが案内部材９の後側案内部９２の後端部を前方へ押圧すると、図１３に示したように、案内部材９はリターンスプリング７７を圧縮させつつノック部材６ｖ内を前方へスライド移動する。案内部材９がノック部材６ｖ内を常態位置から前方へ所定量スライド移動すると、一対の弾性片９６の膨出部９６ａがノック部材６ｖの外側突出部６９から前方へ突出して、ノック部材６ｖの外側突出部６９による拘束から解放される。具体的には、一対の弾性片９６が、それの膨出部９６ａの対向面が互いに離れる方向、つまり径方向外方へ向かうように弾性変形する。このように案内部材９がノック部材６ｖ内を常態位置から前方へ所定量スライド移動した作動状態になると、一対の弾性片９６の膨出部９６ａの対向面間の間隙が、筆記芯Ｌの直径よりも大きくなる。したがって、案内部材９が作動状態となると、弾性片９６により筆記芯通路９０内に留められていた筆記芯Ｌは、二つの弾性片９６の対向面間を通過して、筆記芯タンク４へ落下することとなる。
【００７５】
このように筆記芯Ｌが筆記芯タンク４へ充填された後に、ユーザーが案内部材９に対する押圧を解除すると、案内部材９が作動状態から常態へ戻る。詳述すると、ユーザーが案内部材９に対する押圧を解除すると、リターンスプリング７７の付勢力により案内部材９がノック部材６ｖ内を後方へスライド移動する。案内部材９がノック部材６ｖ内を後方へスライド移動するに伴って、一対の弾性片９６の膨出部９６ａがノック部材６ｖの外側突出部６９に摺接しつつ後退動される。換言すると、一対の弾性片９６は、それの膨出部９６ａがノック部材６ｖの外側突出部６９内に入り込むことにより、膨出部９６ａの対向面が互いに接近する方向、つまり径方向内方へ向かうように変形して、常態に復帰する。案内部材９の常態においては、対向する膨出部９６ａ間の間隔は、上述のように筆記芯Ｌの直径よりも小さくなる。したがって、筆記芯タンク４内に筆記芯Ｌが充填された後にシャープペンシルの外筒１の先端が上方に向けられたとしても、図１４に示したように筆記芯Ｌの後端が弾性片９６の先端に当接して、対向する膨出部９６ａの間に入り込めなくなるため、筆記芯Ｌは案内部材９の筆記芯通路９０へ逆戻りすることができない。
【００７６】
以上のように、本実施の形態によれば、ユーザーがシャープペンシルの先端を上方へ向けた場合に、筆記芯タンク４内の筆記芯Ｌが案内部材９の筆記芯通路９０へ逆戻りすることを弾性片９６（通過阻止手段）によって阻止されるので、筆記芯Ｌが筆記芯タンク４から落下することを防止できる。
【００７７】
また、案内部材９がノック部材６ｖ内を前進動して弾性片９６（通過阻止手段）が筆記芯Ｌの通過阻止を解除すると、筆記芯Ｌが案内部材９の筆記芯通路９０を通過して筆記芯タンク４へ移動できるようになっているため、従来のような筆記芯タンクに対するノック部材の脱着やノック部材の蓋の開閉という作業が不要となる。また、筆記芯Ｌを筆記芯タンク４内へ簡単に充填することができると共に、ノック部材６ｖを児童等が誤って飲み込む事態を防止できて、安全性を向上させることができる。
【００７８】
なお、本発明について特定の実施形態を用いて説明したが、本発明はそれら実施形態に限定されるものではなく、本発明の要旨を逸脱しない範囲内で、上記実施形態に対して様々な変更及び修正を加えることができることは明らかである。例えば、本発明について、特定の送り出し機構を有するシャープペンシルの実施形態について説明したが、本発明は、そのような送り出し機構を有するシャープペンシルに限定されるものではなく、それに代えて、周知の何らかの好適な送り出し機構を備えたシャープペンシルにも適用することができる。
【符号の説明】
【００７９】
１：外筒、２：軸筒、３：先具、４：筆記芯タンク、５：送り出し機構、６，６ｖ：ノック部材、７，７ｖ，９：案内部材、３０：先具の先細部、３０ａ，３０ｂ：先具の先細部の段部、３２：先具のステム部、３４：スライダー、４０：筆記芯タンクのタンク本体、４２：筆記芯タンクの連結部、４４：筆記芯タンクのガイド孔、４６：筆記芯タンクの環状突起、４８：筆記芯タンクの止め孔、５０：スリーブ、５２：チャック、５２ａ：チャックの管状本体、５２ｂ：チャックの挟持片、５４：チャックリング、５６：チャックスプリング、６０：ノック部材の外筒被挿入部、６２：ノック部材の筆記芯タンク被挿入部、６３：ノック部材の透孔、６４：ノック部材の弾性係止片、６４ａ：ノック部材の係止突起、６５：ノック部材の内側突出部、６５ａ：ノック部材の内側突出部の当接面、６６：貫通孔、６７：ノック部材の連絡通路、６９：ノック部材の外側突出部、７０：案内部材の筆記芯通路、７２：案内部材の後側案内部、７２ａ：案内部材の受け口、７４：案内部材の前側案内部、７４ａ：案内部材のスリット、７６：案内部材の弾性片、７６ａ：案内部材の弾性片の隆起部、７６ｂ：案内部材の弾性片の摺動面、７６ｃ：案内部材の弾性片の係止突起、７７：リターンスプリング、８０：案内部材の前側案内部、８１：案内部材の弾性片、８１ａ：案内部材の弾性片の隆起部、８１ｂ：案内部材の弾性片の摺動面、８１ｃ：案内部材の係止突起、８２：案内部材の伸長部、８２ａ：伸長部の係止突起、９０：案内部材の筆記芯通路、９２：案内部材の後側案内部、９２ａ：案内部材の受け口、９４：案内部材の前側案内部、９６：案内部材の弾性片、９６ａ：弾性片の膨出部、Ｌ：筆記芯
【図１】
2014069316.tif 000003
【図２】
2014069316.tif 000004
【図３】
2014069316.tif 000005
【図４】
2014069316.tif 000006
【図５】
2014069316.tif 000007
【図６】
2014069316.tif 000008
【図７】
2014069316.tif 000009
【図８】
2014069316.tif 000010
【図９】
2014069316.tif 000011
【図１０】
2014069316.tif 000012
【図１１】
2014069316.tif 000013
【図１２】
2014069316.tif 000014
【図１３】
2014069316.tif 000015
【図１４】
2014069316.tif 000016